(57)【要約】      （修正有）【課題】硬質の角部が使用者にぶつかることによる痛みや体の損傷の恐れはなく、安全防護の目的を達成できる軟質積木玩具を提供する。【解決手段】軟質材から形成された軟質積木玩具軟質積木素子１０を備え、軟質積木素子１０を連続に積み重ねて、様々な玩具を構築できる。軟質積木素子１０の硬さはショアＡ２０〜９５である。そのため、軟質積木素子で積み重ねた玩具は軟質構造であり、衝撃に強く割れにくい。さらに、折り曲げ又はひっくり返して様々な形態を形成して、積み重ねるときに、より多様な構造を実現できる。【選択図】図１
0003210074.tif 000002
【実用新案登録請求の範囲】
【請求項１】
軟質積木玩具であって、
軟質材から構成された軟質積木素子を備え、前記軟質積木素子を連続に積み重ねて様々な玩具を構築可能であり、前記軟質積木素子の硬さはショアＡ２０〜９５であることを特徴とする軟質積木玩具。
【請求項２】
前記軟質積木素子は、熱塑性を有する部材であって、熱可塑性エラストマ、熱可塑性ラバー、熱可塑性ウレタン、またはポリウレタンから構成されていることを特徴とする、請求項１記載の軟質積木玩具。
【請求項３】
前記軟質積木素子は、熱硬化性を有する部材から構成されていることを特徴とする、請求項１記載の軟質積木玩具。
【請求項４】
前記軟質積木素子は、シリコンから構成されていることを特徴とする、請求項３記載の軟質積木玩具。
【請求項５】
前記軟質積木素子は、一体成型の固体素子であって、全体が同じ材質の軟質部材から構成されていることを特徴とする、請求項１記載の軟質積木玩具。
【請求項６】
前記軟質積木素子は、少なくとも一つの結合部と、少なくとも一つの被結合部とを含み、
前記軟質積木素子の前記結合部は、他の前記軟質積木素子の前記被結合部と結合することができることを特徴とする、請求項１記載の軟質積木玩具。
【請求項７】
前記結合部と前記被結合部とにより凹凸嵌合構造、スライドレール構造、または面ファスナー構造が構成されていることを特徴とする、請求項６記載の軟質積木玩具。
【請求項８】
前記軟質積木素子は、少なくとも２つの主構造部と、前記少なくとも２つの主構造部を接続している薄い板状の接続部とを有しており、
前記主構造部及び前記接続部は、軟質材によって一体成型されていることを特徴とする、請求項１記載の軟質積木玩具。
【請求項９】
前記軟質積木素子は、中空状に形成され、裏表両側にそれぞれ異なる色調またはラインが設けられており、裏表をひっくり返すと全体が異なる外観となることを特徴とする、請求項１記載の軟質積木玩具。
【請求項１０】
前記軟質積木素子は、中空状に形成され、前記結合部と前記被結合部または他の力学構造部を除き、裏表に異なる形態が形成されており、軟質の特性を利用して裏表をひっくり返すと全体が異なる外観となることを特徴とする、請求項１記載の軟質積木玩具。
【請求項１１】
前記軟質積木素子の長さ、幅および高さのうち２つが２センチ以下であることを特徴とする、請求項１記載の軟質積木玩具。
【考案の詳細な説明】
【技術分野】
【０００１】
本考案は積木に関し、特に軟質積木玩具に関する。
【背景技術】
【０００２】
１９６０年ごろに販売開始されたレゴ（登録商標）の積木は、まさに積木の革命的な改良であり、まず基本構造素子を生産し、各基本構造素子同士の結合構造を有し、互いに結合することができる。よって、数多くの基本構造素子を互いに組み合わせることによって、様々な形態に形成でき、組み合わせたものが強い結合構造をもつ。従来の積木のように各ブロック体同士の結合が出来ないために押せばばらばらに散らかることはない。さらに、上記積木の組み合わせの柔軟性は高いことから、使用者はかなり複雑な形態の玩具、例えばロボット、飛行機などに組み合わせることができる。これは従来の積木では実現できない点である。
【考案の概要】
【考案が解決しようとする課題】
【０００３】
しかしながら、上記積木の欠点として、硬質プラスチック部材から構成されているために組み合わせた玩具も硬質構造であることが挙げられる。そのため、積木遊びの子どもたちがけがをする恐れがある。加えて、部材は硬質であるから、質感および使用とも、この材質特性に制限される。
【課題を解決するための手段】
【０００４】
本考案は前述公知技術を解決するためになされたものである。本考案による軟質積木玩具は、軟質材から構成された軟質積木素子を備えており、軟質積木素子を連続に積み重ねて様々な玩具を構築可能であり、軟質積木素子の硬さはショアＡ２０〜９５である。そのため、軟質積木素子で積み重ねた玩具は軟質構造であり、衝撃に強く割れにくい。また、硬質の角部が使用者にぶつかることによる痛みや体の損傷の恐れはなく、安全防護の目的を達成できる。さらに、本考案の軟質積木素子は、軟質材から構成されているため、折り曲げ又はひっくり返して様々な形態を形成して、積み重ねるときに、より多様な構造を実現できる。
【図面の簡単な説明】
【０００５】
【図１】本考案の第１実施例の軟質積木玩具を示す図である。
【図２】図１の軟質積木玩具の上視図である。
【図３】図１の軟質積木玩具の下視図である。
【図４】本考案の第１実施例の応用図である。
【図５】本考案の第２実施例の結合部と被結合部を示す図である。
【図６】本考案の第３実施例の結合部と被結合部を示す図である。
【図７】本考案の第４実施例の結合部と被結合部を示す図である。
【図８】本考案の第５実施例の軟質積木素子を示す図である。
【図９】図８の軟質積木素子の折り曲げ態様を示す図である。
【図１０】図８の軟質積木素子の別の折り曲げ態様を示す図である。
【図１１】図８の軟質積木素子の積み重ね態様を示す図であり、そのうちに三角形またはテーパー形区域を有する。
【図１２】図１１に示す三角形またはテーパー形区域が図１０の軟質積木素子によって充填された後の態様を示す図である。
【図１３】公知の硬質プラスチック積木による積み重ね態様を示す図である。
【図１４】本考案の軟質積木素子もう一つの実施例を示す図である。
【図１５】図１４を裏表にひっくり返した後を示す図である。
【図１６】本考案の軟質積木素子もう一つの実施例を示す図である。
【図１７】図１６を裏表にひっくり返した後を示す図である。
【考案を実施するための形態】
【０００６】
（実施例１）
図１〜図４に本考案の第１実施例の軟質積木玩具を示す。
【０００７】
軟質積木玩具は、軟質積木素子１０を備える。軟質積木素子１０は、軟質材から形成された積木素子である。軟質積木玩具は、複数の軟質積木素子１０を連続に積み重ねて、様々な形態の玩具を構築できる。そのうち、軟質積木素子１０の硬さはショアＡ２０〜９５である。軟質積木素子１０は、熱塑性を有する部材であって、熱可塑性エラストマ（Ｔｈｅｒｍａｌ  Ｐｌａｓｔｉｃ  Ｅｌａｓｔｏｍｅｒ，ＴＰＥ）、熱可塑性ラバー（Ｔｈｅｒｍａｌ  Ｐｌａｓｔｉｃ  Ｒｕｂｂｅｒ，ＴＰＲ）、熱可塑性ウレタン（Ｔｈｅｒｍａｌ  ＰＵ，ＴＰＵ）、ポリウレタン（Ｐｏｌｙｕｒｅｔｈａｎｅ，ＰＵ）から構成されるか、または、例えばシリコンなどの熱硬化性部材から構成される。その熱硬化特性により、熱変形（２００度以内）はない。
【０００８】
また、軟質積木素子１０は一体成型の固体素子である。すなわち、軟質積木素子１０は全体が同じ材質の軟質部材から構成される。軟質積木素子１０の長さ、幅および高さのうち２つを２センチ以下に仕上げることが好ましい。
【０００９】
軟質積木素子１０は軟質材から形成されているため、構築した玩具も軟質構造であり、衝撃に強く、割れにくい。硬質な角部によって使用者がけがをし、あるいはぶつかって痛みや体の傷害が生じる恐れはなく、安全防護の目的を達成できる。
【００１０】
また、軟質積木素子１０は、少なくとも一つの結合部２０と、少なくとも一つの被結合部３０とを含む。軟質積木素子１０の結合部２０と他の軟質積木素子１０の被結合部３０は互いに結合することができる。組み合わせるときには、複数の軟質積木素子１０の結合部２０と被結合部３０とを互いに結合させて、様々な形態の玩具に組み合わせることができる（図４に示す）。
【００１１】
図１〜図３に示すように、軟質積木素子１０の本体部は中空状の矩形体によって形成されている。組み合わせるときは、最適な組み合わせ構造を形成できる。また、軟質積木素子１０の結合部２０が軟質積木素子１０の上方（すなわち、本体部の開口部とは反対側）に位置していて、かつ、結合部２０が突き出す丸型形態を形成している（図１、図２に示す）。軟質積木素子１０の矩形体の内側は中空部になっている。軟質積木素子１０の被結合部３０が軟質積木素子１０の中空部の底部より延在されていて、かつ、被結合部３０が管状形態を形成する（図３に示す）。結合部２０と被結合部３０とは互いに結合できる。よって、複数の軟質積木素子１０をこの構造によって組み合わせることができる。さらに延在して、所要な玩具構造を形成できる。
【００１２】
軟質積木素子１０は、例えば、複数の結合部２０と、被結合部３０を構成することができる。図１に示すように、軟質積木素子１０は４つの結合部２０を有する。
【００１３】
本考案において、結合部２０と被結合部３０により凹凸嵌合構造が構成されている。
【００１４】
（実施例２）
図５に、本考案の第２実施例の軟質積木素子１０を示す。本実施例では、一対の軟質積木素子１０の一方に結合部２０が設けられ、他方に被結合部３０が設けられている。結合部２０は細長く延びる突起である突条を形成しており、被結合部３０は細長く延びる溝を形成している。結合部２０は被結合部３０に嵌まったまま、被結合部３０に対して滑るように結合位置を移動させることができるため、異なる結合位置を有し、異なる形態を形成できる。本考案では結合部２０と被結合部３０によりスライドレール構造が構成されている。
【００１５】
（実施例３）
図６に、本考案の第３実施例の軟質積木素子１０を示す。本実施例では、結合部２０は軟質積木素子１０の側面に位置しており、結合部２０と被結合部３０を異なる側面から延在しているため、側面方向の組み合わせができる。
【００１６】
（実施例４）
図７に、本考案の第４実施例の軟質積木素子１０を示す。本実施例では、結合部２０と被結合部３０が面ファスナーを構成している。面ファスナーは面的に着脱できるファスナーである。結合部２０はフック状に起毛されており、被結合部３０はループ状に密集して起毛されている。長所として、軟質積木素子１０を結合するときに、結合箇所の制限を受けることなく、任意の位置で結合することができる。さらに、結合操作が極めて簡単であり、２つの軟質積木素子１０を互いに接触させれば結合できる。取り外し操作も非常に簡単である。本考案では結合部２０と被結合部３０により面ファスナー構造が構成されている。
【００１７】
（実施例５）
図８〜図１３に、本考案の第５実施例の軟質積木素子１０を示す。図８〜図１３おいては結合部と被結合部の図示を省略している。本実施例に係る軟質積木素子１０は少なくとも２つの（図において、２つを示されている）主構造部１０１、１０２と、少なくとも２つの主構造部１０１、１０２に接続している薄い板状の接続部１０３とを有する。主構造部１０１、１０２および接続部１０３は、軟質材を用いて一体成型されたものである。本実施例の効果は、軟質積木素子１０が軟質の長所を発揮し、図９と図１０に示すように折り曲げて様々な形態を形成する。本実施例の積木を積み重ねるときに、図１１に示す態様図のように、三角形またはテーパー形の構造が必要である。本実施例に係る折り曲げ可能な軟質積木素子１０を適用すれば、三角形またはテーパー形区域２００を結合して、全体の組み合わせを完璧な構造体を形成する（図１２に示す）。これに対して、従来の硬質プラスチック積木には、このような応用ができない。図１３に示すように、もし、従来の硬質プラスチック積木３００を積み重ねる場合は、図１２に示すように完璧な構造体を実現できない。
【００１８】
（実施例６）
図１４および図１５に、本考案の第６実施例の軟質積木素子１０を示す。図１４および図１５では結合部と被結合部の図示を省略している。軟質積木素子１０は軟質材によって中空状に形成されているため、裏表をひっくり返して様々な効果を発揮できる。例えば、図１４に示すように、軟質積木素子１０の裏表両側にそれぞれ異なる色調またはラインを設け、軟質積木素子１０を裏表にひっくり返すと、異なる外観の軟質積木素子１０を形成できる（図１５に示す）。または、軟質積木素子１０の外部に赤色塗料を塗装し、内部に黄色塗料を塗装した場合、軟質積木素子１０を裏表にひっくり返せば、異なる色調の軟質積木素子１０に仕上げられる。
【００１９】
（実施例７）
図１６および図１７に、本考案の第７実施例の軟質積木素子１０を示す。図１６および図１７では結合部と被結合部の図示を省略している。軟質積木素子１０が軟質材から中空状に形成されており、結合部と被結合部または他の力学構造部を除き、軟質積木素子１０の裏表に異なる形態を形成している。本実施形態では、例えば図１６に示すように、軟質積木素子１０の内側に球形構造１０５が形成されている。軟質の特性を利用して裏表をひっくり返せば、軟質積木素子１０の全体が異なる外観となる。図１７に示すものは、図１６の軟質積木素子１０の裏表をひっくり返した形態である。
【００２０】
また、軟質積木素子１０の内部に中空状を形成することによって、部材の軽減目的を実現でき、重量も軽減できる。
【００２１】
軟質積木素子１０は比較的高い弾性を有しており、スポーツ具などの玩具に仕上げられる。一例として、軟質積木素子１０を利用して、球体を積み重ねることができる。軟質のため、空に投げることや叩くなど、動的玩具として使用できる。
【００２２】
軟質積木素子１０は従来の硬質部材で構成した硬質積木と互いに結合することもできる。その長所として、構築された構造体の周りに軟質積木素子１０を適用すれば、安全防護の目的を達成できる。さらに、軟質積木素子１０の軟質部材と、硬質積木の硬質部材を組み合わせれば、異なる質感を表せる。
【００２３】
以上の詳細説明は、本案の好ましい実施例について説明したものに過ぎない。ただし、該実施例は本考案になんらの制限を加えるものではない。本考案の技術精神に基づく等の効果の応用又は変更は、すべて本案の実用新案登録請求の範囲に含めるべきである。
【符号の説明】
【００２４】
１０・・・軟質積木素子
２０・・・結合部
３０・・・被結合部
【図１】
0003210074.tif 000003
【図２】
0003210074.tif 000004
【図３】
0003210074.tif 000005
【図４】
0003210074.tif 000006
【図５】
0003210074.tif 000007
【図６】
0003210074.tif 000008
【図７】
0003210074.tif 000009
【図８】
0003210074.tif 000010
【図９】
0003210074.tif 000011
【図１０】
0003210074.tif 000012
【図１１】
0003210074.tif 000013
【図１２】
0003210074.tif 000014
【図１３】
0003210074.tif 000015
【図１４】
0003210074.tif 000016
【図１５】
0003210074.tif 000017
【図１６】
0003210074.tif 000018
【図１７】
0003210074.tif 000019
【手続補正書】
【提出日】平成29年2月27日(2017.2.27)
【手続補正１】
【補正対象書類名】実用新案登録請求の範囲
【補正対象項目名】請求項１０
【補正方法】変更
【補正の内容】
【請求項１０】
前記軟質積木素子は、中空状に形成され、前記結合部と前記被結合部または他の力学構造部を除き、裏表に異なる形態が形成されており、軟質の特性を利用して裏表をひっくり返すと全体が異なる外観となることを特徴とする、請求項６記載の軟質積木玩具。